(57)【要約】      （修正有）【課題】配管のための空間が狭い場合であっても施工が可能となる排水トラップを提供する。【解決手段】排水トラップ３はフランジ部材４、目皿５、トラップ本体８から構成されている。トラップ本体８は、内部に排水を貯留し、封水を形成する封水部８３を有し、上方に取付口８１が、側方に排出口８２がそれぞれ形成されている。又、トラップ本体８は下流側において上面及び下面が上方に向けて屈曲することで排水流路を上昇させており、排出口８２はその中心の高さＨ１が取付口８１上端の高さＨ２よりも上方となる位置に形成されている。【選択図】図２
2020051183.tif 000002
【特許請求の範囲】
【請求項１】
内部に排水を貯留し、封水を形成する封水部を有する排水トラップにおいて、
上流側の排水配管や設備機器等に接続される取付口が上方に形成されるとともに、内部に流入した排水を下水側の配管へと排出する排出口が側方に形成されたトラップ本体を備え、
前記排出口は、その中心が取付口よりも上方となる位置に形成されることを特徴とする排水トラップ。
【請求項２】
前記取付口の高さよりも上方における排出口の開口面積Ａに対し、取付口の高さよりも下方における排出口の開口面積Ｂとしたとき、Ａ＞Ｂを満たすことを特徴とする請求項１に記載の排水トラップ。
【請求項３】
上記封水部と排出口を繋ぐ排水流路は、段差無く連続する滑面状であることを特徴とする請求項１又は請求項２に記載の排水トラップ。
【請求項４】
上記封水部は、
取付口の周囲において平面視略円形に形成されているとともに、
封水部と排出口は、封水部の接線方向に延設された側壁によって接続されていることを特徴とする請求項１乃至請求項３のいずれか１つに記載の排水トラップ。
【請求項５】
前記排水トラップ本体は、
内部に形成された封水壁を有し、
上記封水壁の上端は取付口よりも低いことを特徴とする請求項１乃至請求項４のいずれか１つに記載の排水トラップ。
【発明の詳細な説明】
【技術分野】
【０００１】
本発明は、排水配管に取り付けられる排水トラップに関するものである。
【背景技術】
【０００２】
浴室や洗面ボウル等は、その使用に伴い生じた排水を、排水配管を通じて下水側へと排出するとともに、当該排水配管はその管路中において排水トラップが取り付けられている。排水トラップは内部に排水を貯留し、排水流路の一部を排水で満たすことによって封水部を形成し、臭気や害虫の逆流を防止するトラップ機能を備えている。
【０００３】
ここで、上記排水トラップを含む排水配管が取り付けられる空間は、浴室に敷設された防水パンの下方や、洗面台が載置されるキャビネットの内部等、狭い空間であることが多い。特に、浴室に関しては浴槽のまたぎ高さを低くするために浴槽側の防水パンを洗い場側に比べて一段低くする等、バリアフリー化に伴い低床化が進んでおり、排水配管を配置するための空間が減少する傾向にある。
一方で、排水トラップは封水強度を確保するため、ある程度の封水深が必要であり、排水トラップの高さを低くすることには限界がある。又、排水トラップから連続する排水配管は所定の勾配を有して施工されなければならず、管路が長くなる程、配管のための空間が必要となる。
【先行技術文献】
【特許文献】
【０００４】
【特許文献１】特開２０１５−６８１２４号公報
【発明の概要】
【発明が解決しようとする課題】
【０００５】
本発明は上記問題に鑑み、配管のための空間が狭い場合であっても施工が可能となる排水トラップの提供を目的とする。
【課題を解決するための手段】
【０００６】
請求項１に係る本発明は、内部に排水を貯留し、封水を形成する封水部を有する排水トラップにおいて、
上流側の排水配管や設備機器等に接続される取付口が上方に形成されるとともに、内部に流入した排水を下水側の配管へと排出する排出口が側方に形成されたトラップ本体を備え、
前記排出口は、その中心が取付口よりも上方となる位置に形成されることを特徴とする排水トラップである。
【０００７】
請求項２に係る本発明は、前記取付口の高さよりも上方における排出口の開口面積Ａに対し、取付口の高さよりも下方における排出口の開口面積Ｂとしたとき、Ａ＞Ｂを満たすことを特徴とする請求項１に記載の排水トラップである。
【０００８】
請求項３に係る本発明は、上記封水部と排出口を繋ぐ排水流路は、段差無く連続する滑面状であることを特徴とする請求項１又は請求項２に記載の排水トラップである。
【０００９】
請求項４に係る本発明は、上記封水部は、
取付口の周囲において平面視略円形に形成されているとともに、
封水部と排出口は、封水部の接線方向に延設された側壁によって接続されていることを特徴とする請求項１乃至請求項３のいずれか１つに記載の排水トラップである。
【００１０】
請求項５に係る本発明は、前記排水トラップ本体は、
内部に形成された封水壁を有し、
上記封水壁の上端は取付口よりも低いことを特徴とする請求項１乃至請求項４のいずれか１つに記載の排水トラップである。
【発明の効果】
【００１１】
本発明によれば、従来の排水トラップよりも高い位置に排出口を配置することによって、配管のための空間を広く使用することができる。従って、配管のための空間が狭い場合であっても施工が可能な排水トラップを提供することが可能となる。又、排出口と接続される配管が所定の勾配を有して接続されていても管路を長く確保することが可能となるとともに、排水流量を向上させるために排出口を大径化し、大径の配管を接続させることも可能となる。更に、排水トラップが浴室に配置される際には、低床化を実現することが可能となる。
【図面の簡単な説明】
【００１２】
【図１】本発明の排水トラップの施工状態を示す断面図である。
【図２】排水トラップの構成を示す分解断面図である。
【図３】排水トラップの（ａ）一部断面平面図（ｂ）正面図である。
【発明を実施するための形態】
【００１３】
以下、図面を参照しながら本発明の排水トラップを説明する。尚、以下に記載する発明は実施形態の理解を容易にするためのものであり、これによって発明が制限して理解されるものではない。
【００１４】
図１に示すように、浴室１００は洗い場１０１に隣接して浴槽１０２が配置されており、床面には防水パン１０３が敷設されている。
防水パン１０３は床下との間に配管のための空間を形成し、上方には浴槽１０２が載置されているとともに、浴槽１０２の下方において、排水トラップ３を取り付けるための開口が形成されている。又、防水パン１０３は浴槽１０２のまたぎ高さを低くするため、浴槽１０２側が洗い場１０１側よりも低くなるように段部１０４が形成されている。
尚、上記防水パン１０３には洗い場１０１側において図示しない排水トラップが別途設けられており、排水トラップ３の下流側において合流している。
【００１５】
浴槽１０２は上方が開放された箱状の槽体であって、底面に形成された開口には排水栓１が取り付けられている。
【００１６】
排水栓１は内部に排水流路を形成する中空の筒状体であり、上記浴槽１０２底面の開口に取り付けられた状態において排水口１１を形成するとともに、浴槽１０２の裏側に配置された接続部材２と螺合されている。又、排水栓１は浴槽１０２に取り付けられた状態において、上端に形成された外向きフランジ部下面と、接続部材２上面によって浴槽１０２底面の開口周縁を挟持することによって、浴槽１０２に対して水密に取り付けられており、これにより浴槽１０２内の排水は全て排水口１１を通じて下流側へと排出される。
【００１７】
接続部材２は排水栓１の下端に螺合されたナットと、当該ナットの下端に取り付けられたゴム等の弾性素材から成る蛇腹パッキンから構成されており、蛇腹パッキンの下端が目皿５に挿通されることによって排水栓１と排水トラップ３を水密に接続している。
【００１８】
図１及び図２に示すように、排水トラップ３はフランジ部材４、目皿５、トラップ本体８から構成されており、フランジ部材４とトラップ本体８を螺合させ、トラップ本体８の上面とフランジ部材４の鍔部とで防水パン１０３を挟持することによって固定されている。
【００１９】
フランジ部材４は上端から外向きに延設された鍔部を有する円筒状であって、外側面に雄螺子が形成されている。又、フランジ部材４の内側には目皿５が配置されているとともに、その中央には接続部材２下端が挿通されている。
【００２０】
目皿５は中心に接続部材２が挿通される開口が形成されているとともに、当該開口の周囲には防水パン１０３上に生じた排水を排出するための防水パン排水口６が形成されている。又、防水パン排水口６には下流側からの排水の逆流を防ぐためにフロート弁７が取り付けられている。
フロート弁７は水より比重の軽い素材から成る弁体であって、下流側からの逆流等によってトラップ本体８内の水位が上昇した際に浮上する。この時、防水パン排水口６はフロート弁７によって下方から閉塞され、防水パン１０３上に排水が逆流することを防ぐことができる。
【００２１】
トラップ本体８は、図２又は図３に示すように、内部に排水を貯留し、封水を形成する封水部８３を有し、上方に取付口８１が、側方に排出口８２がそれぞれ形成されている。又、トラップ本体８は下流側において上面及び下面が上方に向けて屈曲することで排水流路を上昇させており、排出口８２はその中心の高さＨ１が取付口８１上端の高さＨ２よりも上方となる位置に形成されている。尚、図２及び図３において、排出口８２の中心の高さＨ１と、取付口８１の高さＨ２は、ともに一点鎖線で示している。又、図１に示すように、上記トラップ本体８の屈曲部分は上記防水パン１０３の段部１０４の下方に配置されているため、防水パン１０３とは干渉しない。
取付口８１はトラップ本体８上面に形成された開口であって、上流側の排水配管や設備機器等に接続されている。又、取付口８１より下方に向けて延設された雌螺子は上記フランジ部材４に螺合されることによって、取付口８１の周縁が防水パン１０３の裏面と断面視略Ｕ字状のパッキンを介して水密に当接している。尚、本実施形態において、トラップ本体８には取付口８１より排水が流入することから、当該取付口８１は排水の流入口としても機能する。
排出口８２は封水壁８５の下流側において、トラップ本体８の側方に形成された開口であって、所定の勾配を有する直管状の配管９が接着されている。
封水部８３は取付口８１の下方であって、封水筒８４の周囲に形成されており、トラップ本体８の下流側に形成された封水壁８５によって排水を貯留可能としている。ここで、封水部８３は平面視略円形であって、その幅は排出口８２よりも大きく形成されており、接線方向に延設された側壁８６によって排出口８２と接続されている。これにより、図３（ａ）に記載した断面図に示すように、トラップ本体８は内部に形成された排水流路、特に封水部８３と排出口８２を繋ぐ排水流路が段差無く連続する滑面状となっている。
封水筒８４は上記取付口８１から連続して垂設された円筒状であって、その下端は封水壁８５の上端よりも下方且つトラップ本体８の底面よりも上方なる位置にまで延設されており、封水部８３に排水が貯留された状態において、当該貯留された排水内に下端が配置されるように構成されている。
封水壁８５は封水部８３の下流側においてトラップ本体８の底面が上方に向けて屈曲することによって形成された壁部であって、トラップ本体８内部の流路を上方に向けて屈曲させるとともに、封水壁８５よりも上流側に排水を貯留することが可能となる。尚、トラップ本体８の上面は封水壁８５によって上昇する排水流路に合わせて上方に向けて屈曲している。
【００２２】
上記排水トラップ３は、図３（ｂ）に示すように、取付口８１の高さよりも上方における排出口８２の開口面積Ａに対し、取付口８１の高さＨ２よりも下方における排出口８２の開口面積Ｂとしたとき、Ａ＞Ｂを満たすよう構成されている。尚、図３（ｂ）においては開口面積Ａと開口面積Ｂの理解を容易にするため、開口面積Ａと開口面積Ｂを示す斜線を排出口８２に記載している。
【００２３】
以下に、本実施形態における排水トラップ３の施工について説明する。
【００２４】
まず、トラップ本体８の排出口８２に配管９を接着するとともに、防水パン１０３に形成された開口の下方にトラップ本体８を配置し、フランジ部材４と螺合させる。この時、フランジ部材４とトラップ本体８の取付口８１が防水パン１０３を挟持し、トラップ本体８が防水パン１０３に対して水密に取り付けられる。又、配管９は所定の勾配を有しており、下流側に進むにつれて下方へと向かうように傾斜している。
次に、フランジ部材４に目皿５を取り付ける。この時、目皿５の周囲に嵌着されたパッキンがフランジ部材４の内周と当接し、目皿５の中心に形成された開口又は防水パン排水口６以外からは排水が流入しない。
次に、浴槽１０２底面に形成された開口に排水栓１を挿通し、接続部材２と螺合させた状態で、浴槽１０２を防水パン１０３に載置する。この時、接続部材２の蛇腹パッキンの下端が目皿５に形成された開口に挿通され、接続部材２と目皿５が水密に接続されることで、施工が完了する。
【００２５】
上記施工完了状態において、取付口８１は防水パン１０３の裏面に沿うように配置されている。ここで、排出口８２の中心の高さＨ１は取付口８１の高さＨ２よりも上方となる位置に形成されているが、トラップ本体８の屈曲部分は防水パン１０３の段部１０４の下方に配置されていることから、排出口８２が取付口８１よりも上方に位置していても、防水パン１０３に干渉することなく配置することができる。
【００２６】
次に、本実施形態における排水トラップ３に対する排水の流れを説明する。
【００２７】
まず、入浴後の開栓等によって排水口１１が開放されると、排水栓１、接続部材２を通じて取付口８１よりトラップ本体８へと排水が流入する。トラップ本体８へと流入した排水は封水筒８４内側、及び封水筒８４の外側と封水部８３の間に形成された排水流路を通過し、封水壁８５を超えて排出口８２より、更に下流側の排水配管へと排出される。
この時、トラップ本体８は内部に形成された排水流路、特に封水部８３と排出口８２を繋ぐ排水流路が段差無く連続する滑面状となっていることから、トラップ本体８内部において乱流が生じることはなく、排水流量が向上する。
【００２８】
上記排水の終了後、封水部８３は下流側において封水壁８５が形成されていることから、封水部８３には封水壁８５の上端の高さまで排水が貯留される。この時、封水筒８４の内側、封水筒８４の外側と封水部８３の間に形成された排水流路は貯留された排水によって満たされることで封水を形成し、下流側の臭気や害虫の逆流を防ぐトラップ機能を奏する。ここで、図３（ｂ）に示すように、封水壁８５の上端は取付口８１の高さＨ２よりも低く形成されている。従って、封水部８３に排水が貯留され、封水が形成された状態において、当該封水が取付口８１から溢れてしまうことはない。
【００２９】
本発明の排水トラップ３は、トラップ本体８が下流側において上方に向けて屈曲しており、排出口８２の中心の高さＨ１が取付口８１の高さＨ２よりも上方となる位置に形成されている。従って、従来の排水トラップよりも高い位置において排出口８２と配管９を接続させることが可能となるため、防水パン１０３下方の空間を広く使用することが可能となる。即ち、配管９が所定の勾配を有して接続されていても、管路を長く確保することが可能となるとともに、排水トラップが浴室に配置される際には、低床化を実現することが可能となる。又、排水流量を向上させるために排出口を大径化し、大径の配管を接続させることも可能となる。即ち、本発明の排水トラップ３は大径の排水配管、例えば呼び径７５以上の排水配管を接続するのに適しており、排水流量を向上させることが可能となる。
又、上記トラップ本体８の屈曲部分は防水パン１０３の段部１０４の下方に配置されていることから、排出口８２が取付口８１よりも上方に位置していても、防水パン１０３に干渉することなく配置することができる。
【００３０】
本発明は上記実施形態の形状に限られるものではなく、発明の要旨を逸脱しない範囲において種々の形状変更を行っても良いものである。例えば、上記実施形態において、排水トラップ３は浴槽１０２から連続する排水配管に接続されていたが、洗面ボウルや流し台等から連続する排水配管に接続されていても良く、その他の設備機器に接続されても良い。
【符号の説明】
【００３１】
１        排水栓
１１      排水口
２        接続部材
３        排水トラップ
４        フランジ部材
５        目皿
６        防水パン排水口
７        フロート弁
８        トラップ本体
８１      取付口
８２      排出口
８３      封水部
８４      封水筒
８５      封水壁
８６      側壁
９        配管
１００    浴室
１０１    洗い場
１０２    浴槽
１０３    防水パン
１０４    段部
【図１】
2020051183.tif 000003
【図２】
2020051183.tif 000004
【図３】
2020051183.tif 000005